(57)【要約】      （修正有）【課題】反射パターンの端部側から照射された光による反射パターンの発光を抑制する反射構造体を提供する。【解決手段】光源から入射した光を導光して、光出射面に設定された発光領域から出射させる導光体に備えられ、光源からの光を発光領域に向けて反射する反射面を有する反射構造体であって、反射構造体の反射パターン３０は、反射する光の進行方向Ｄ１と直交する方向に尖形の突端部ｅが配置され、反射する光の進行方向Ｄ１と、突端部ｅに接続される反射面３１の縁端部の法線方向Ｄ２との成す角度βが−３８．３２７ｘ２＋１５２．３ｘ−９４．０１４（ｘは導光板の屈折率）以下である。【選択図】図４
2015156317.tif 000002
【特許請求の範囲】
【請求項１】
光源から入射した光を導光して、光出射面に設定された発光領域から出射させる導光体に備えられ、上記光源からの光を上記発光領域に向けて反射する反射面を有する反射構造体であって、
上記光出射面に対して垂直な方向から見た場合、反射する光の進行方向と直交する方向に尖形の突端部が配置され、且つ、上記光の進行方向と、上記突端部に接続される上記反射面の縁端部の法線方向との成す角度が−３８．３２７ｘ２＋１５２．３ｘ−９４．０１４（ｘは上記導光体の屈折率）以下であることを特徴とする反射構造体。
【請求項２】
上記光出射面に対して垂直な方向から見た場合、上記反射構造体の形状が紡錘形であることを特徴とする請求項１に記載の反射構造体。
【請求項３】
上記光源から入射した光を全反射させるものであることを特徴とする請求項１または２に記載の反射構造体。
【請求項４】
請求項１から３のいずれか一項に記載の反射構造体を備えることを特徴とする請求項１から３のいずれか一項に記載の導光体。
【請求項５】
上記発光領域は、第１光を出射する第１発光領域と、上記第１光と略直交する方向から入射する光である第２光を出射する第２発光領域とを少なくとも含み、
上記光出射面に対して垂直な方向から見た場合、上記第１発光領域に向けて上記第１光を反射する上記反射構造体は上記第１光の進行方向と略直交する方向に上記突端部が位置するように配置され、上記第２発光領域に向けて上記第２光を反射する上記反射構造体は上記第２光の進行方向と略直交する方向に上記突端部が位置するように配置されていることを特徴とする請求項４に記載の導光体。
【請求項６】
上記第１発光領域と上記第２発光領域とは、少なくとも一部が重なっていることを特徴とする請求項５に記載の導光体。
【請求項７】
請求項４から６のいずれか一項に記載の導光体と、
上記導光体に対して光を入射する光源とを備えることを特徴とする発光装置。
【請求項８】
上記光源は、発光ダイオードであることを特徴とする請求項７に記載の発光装置。
【請求項９】
上記光源から出射される光の光束を制御する光束制御部をさらに備えることを特徴とする請求項７または８に記載の発光装置。
【請求項１０】
請求項７から９のいずれか一項に記載の発光装置を備えることを特徴とする遊技機。
【発明の詳細な説明】
【技術分野】
【０００１】
本発明は、光源から入射した光を導光し光出射面から出射させる導光体に備えられる反射構造体および該反射構造体を備えた導光体、並びに、該導光体を備えた発光装置および遊技機に関する。
【背景技術】
【０００２】
従来、光源から出射された光を導光板の側面から入射させ、導光板の裏面側に設けられた反射パターン（反射構造体）により反射させて導光板の表面から出射させる技術が知られている。
【０００３】
例えば、特許文献１には、図１４に示すように、導光板１２０の裏面１２４における所定の文字に対応する形状の領域に三角プリズム型の反射パターン１３０を配置し、光源１００または光源１１０を交互に点灯させることによって、導光板１２０の表面１２３側に異なる文字を表示する技術が開示されている。
【先行技術文献】
【特許文献】
【０００４】
【特許文献１】国際公開第２００１／０５０４４４号公報（２００１年７月１２日公開）
【発明の概要】
【発明が解決しようとする課題】
【０００５】
しかしながら、上述のような三角プリズム型の反射パターン１３０を射出成形で形成した場合、図１５に示すように、反射パターン１３０の側面（端部）１３２がシャープなエッジにならずダレが発生する。そのため、図１６に示すように、反射パターン１３０の側面（端部）１３２側（反射面１３１と平行な方向）から入射した光が、該側面１３２のダレ部分に反射し、その一部が導光板１２０の表面１２３から漏出する。このため、導光板１２０の表面１２３において意図しない反射パターン１３０の発光が観察され、その結果、導光板１２０の表面１２３における光分け演出を損ねることになる。
【０００６】
本発明は、上記の問題点に鑑みてなされたものであり、その目的は、反射構造体の端部側から照射される光による反射構造体の発光を抑制することが可能な反射構造体、導光体、発光装置および遊技機を提供することにある。
【課題を解決するための手段】
【０００７】
上記の課題を解決するために、本発明に係る反射構造体は、光源から入射した光を導光して、光出射面に設定された発光領域から出射させる導光体に備えられ、上記光源からの光を上記発光領域に向けて反射する反射面を有する反射構造体であって、上記光出射面に対して垂直な方向から見た場合、反射する光の進行方向と直交する方向に尖形の突端部が配置され、且つ、上記光の進行方向と、上記突端部に接続される上記反射面の縁端部の法線方向との成す角度が−３８．３２７ｘ２＋１５２．３ｘ−９４．０１４（ｘは上記導光体の屈折率）以下であることを特徴としている。
【０００８】
上述の通り、従来の三角プリズム型の反射パターン（反射構造体）では、射出成形時に側面のダレが生じるため、反射パターンの端部側から照射される光によって反射パターンが発光するという課題があった。
【０００９】
そこで、本願発明者らは、反射構造体の端部を尖形の突端部にすると共に、反射する光の進行方向と、突端部に接続される反射面の縁端部の法線方向との成す角度を上記計算式で求められる値以下にすることにより、突端部側から照射される光による反射構造体の発光を抑制できることを見出し、本発明を成すに至った。
【００１０】
さらに、本発明によれば、射出成形で反射構造体を導光体に成形した場合であっても、従来の三角プリズム型の反射パターンのようにダレが生じ難いため、射出成形によって上記反射構造体を容易に形成することができるという利点もある。
【００１１】
また、本発明に係る導光体では、上記光出射面に対して垂直な方向から見た場合、上記反射構造体の形状が紡錘形であってもよい。
【００１２】
上記の構成によれば、反射構造体の突端部側から照射される光による発光を抑制することが可能な反射構造体を好適に得ることができる。
【００１３】
また、本発明に係る反射構造体では、光を全反射させるものであってもよい。
【００１４】
上記の構成によれば、反射構造体による光の反射効率を向上させることができる。
【００１５】
上記の課題を解決するために、本発明に係る導光体は、上記反射構造体を備えることを特徴としている。
【００１６】
上記の構成によれば、反射構造体の端部側から照射された光による反射構造体の発光を抑制することが可能な導光体を実現することができる。
【００１７】
また、本発明に係る導光体では、上記発光領域は、第１光を出射する第１発光領域と、上記第１光と略直交する方向から入射する光である第２光を出射する第２発光領域とを少なくとも含み、上記光出射面に対して垂直な方向から見た場合、上記第１発光領域に向けて上記第１光を反射する上記反射構造体は上記第１光の進行方向と略直交する方向に上記突端部が位置するように配置され、上記第２発光領域に向けて上記第２光を反射する上記反射構造体は上記第２光の進行方向と略直交する方向に上記突端部が位置するように配置されていてもよい。
【００１８】
上記の構成では、第１光を導光体に入射させた場合、第１光の進行方向と略直交する方向に突端部が位置するように配置された反射構造体によって第１光が第１発光領域に向けて反射されるため、導光体の光出射面おいて第１発光領域が発光する。このとき、第２発光領域に対応付けられた反射構造体には突端部側から第１光が照射されるが、第１光による反射構造体の発光が抑制されるため、第２発光領域の発光は観察されない。
【００１９】
一方、第２光を導光体に入射させた場合、第２光の進行方向と略直交する方向に突端部が位置するように配置された反射構造体によって第２光が第２発光領域に向けて反射されるため、導光体の光出射面おいて第２発光領域が発光する。このとき、第１発光領域に対応付けられた反射構造体には突端部側から第２光が照射されるが、第２光による反射構造体の発光が抑制されるため、第１発光領域の発光は観察されない。
【００２０】
したがって、上記の構成によれば、導光体の光出射面における第１発光領域および第２発光領域の光分け演出を好適に行うことができる。
【００２１】
また、本発明に係る導光体では、上記第１発光領域と上記第２発光領域とは、少なくとも一部が重なっていてもよい。
【００２２】
上記の構成によれば、導光体の光出射面における同一の領域において第１発光領域または第２発光領域を切り替えて表示することができるため、導光体による様々な視覚的演出が可能となる。
【００２３】
上記の課題を解決するために、本発明に係る発光装置は、上記導光体と、上記導光体に対して光を入射する光源とを備えることを特徴としている。
【００２４】
上記の構成によれば、反射構造体の端部側から照射される光による反射構造体の発光を抑制することができるため、導光体の光出射面における光分け演出を好適に行うことが可能な発光装置を実現することができる。
【００２５】
また、本発明に係る発光装置では、上記光源は、発光ダイオード（ＬＥＤ）であってもよい。
【００２６】
上記の構成によれば、指向性の高い光を出射する光源を好適に得ることができる。
【００２７】
また、本発明に係る発光装置では、上記光源から出射される光の光束を変更する変更部をさらに備えていてもよい。
【００２８】
上記の構成によれば、光源から出射される光の光束を変化させることにより、発光装置によってさらに効果的な視覚的演出を行うことができる。
【００２９】
上記の課題を解決するために、本発明に係る遊技機は、上記発光装置を備えることを特徴としている。
【００３０】
上記の構成によれば、反射構造体の端部側から照射される光による反射構造体の発光を抑制することができるため、導光体の光出射面における光分け演出を好適に行うことが可能な遊技機を実現することができる。
【発明の効果】
【００３１】
このように、本発明に係る反射構造体は、光源から入射した光を導光して、光出射面に設定された発光領域から出射させる導光体に備えられ、上記光源からの光を上記発光領域に向けて反射する反射面を有する反射構造体であって、上記光出射面に対して垂直な方向から見た場合、反射する光の進行方向と直交する方向に尖形の突端部が配置され、且つ、上記光の進行方向と、上記突端部に接続される上記反射面の縁端部の法線方向との成す角度が−３８．３２７ｘ２＋１５２．３ｘ−９４．０１４（ｘは導光体の屈折率）以下である。
【００３２】
したがって、本発明によれば、反射構造体の端部側から照射される光による反射構造体の発光を抑制することが可能な反射構造体および該反射構造体を備えた導光体、並びに、該導光体を備えた発光装置および遊技機を提供することができるという効果を奏する。
【図面の簡単な説明】
【００３３】
【図１】図１は、実施形態１に係る発光装置を示す平面図である。
【図２】図２は、導光板に形成された反射パターンを示す断面図である。
【図３】図３の（ａ）は導光板に形成された反射パターンを示す斜視図であり、図３の（ｂ）はその平面図であり、図３の（ｃ）はその正面図であり、図３の（ｄ）はその側面図である。
【図４】図４の（ａ）は反射パターンの形状を説明するための斜視図であり、図４の（ｂ）はその平面図であり、図４（ｃ）はその側面図である。
【図５】図５は、導光板の材料（屈折率）に応じた角度αおよび角度βの範囲を示す表である。
【図６】図６は、角度βを変化させたときの導光板の表面からの光の漏出の有無をシミュレーションした結果を示す表である。
【図７】図７は、屈折率１．６５の導光板に対して反射パターンの突端部側から光を入射したときの光の光路を示す断面図であり、図７の（ａ）は角度βが５３度の場合の光路を示し、図７の（ｂ）は角度βが５４度の場合の光路を示す。
【図８】図８は、導光板の屈折率と角度βとの関係を示すグラフである。
【図９】導光板に反射パターンを形成するための金型を示す斜視図である。
【図１０】図１０の（ａ）〜（ｄ）は、反射パターンの変形例を示す斜視図である。
【図１１】図１１の（ａ）〜（ｄ）は、反射パターンの別の変形例を示す斜視図である。
【図１２】図１２は、反射パターンのさらに別の変形例を示す図面であり、図１２の（ａ）は反射パターンのさらに別の変形例を示す斜視図であり、図１２の（ｂ）は図１２の（ａ）に示す反射パターンを示す平面図であり、図１２の（ｃ）は図１２の（ａ）に示す反射パターンを示す正面図であり、図１２の（ｄ）は図１２の（ａ）に示す反射パターンを示す側面図である。
【図１３】図１３は、実施形態２に係る発光装置を示す平面図である。
【図１４】図１４の（ａ）は従来の導光板を示す平面図であり、図１４の（ｂ）はその断面図である。
【図１５】図１５の（ａ）は従来の反射パターンを示す斜視図であり、図１５の（ｂ）はその平面図であり、図１５の（ｃ）はその正面図であり、図１５の（ｄ）はその側面図である。
【図１６】図１６は、従来の反射パターンを備える導光板に対して反射パターンの側面側から光を入射したときの光の光路を示す断面図である。
【発明を実施するための形態】
【００３４】
〔実施形態１〕
本発明の一実施形態について、図１〜図１２に基づいて説明すれば以下の通りである。本実施形態では、本発明に係る反射構造体が形成された導光体を備える発光装置の一例について説明する。
【００３５】
＜発光装置１の構成＞
図１は、本実施形態に係る導光板（導光体）２０を備えた発光装置１を示す平面図である。この発光装置１は、例えばパチンコおよびスロットマシンなどの遊技機に好適に搭載され、導光板２０の表面（光出射面）２３に図形、文字、絵柄などのオブジェクトを切り替えて表示することで様々な視覚的演出を行うものである。
【００３６】
図１に示すように、発光装置１は、光源１０、光源１１、および導光板２０を備えている。
【００３７】
（光源１０および光源１１）
光源１０および光源１１は、導光板２０の側面へ向けて光を出射する発光素子である。光源１０は、導光板２０の第１側面２１側に沿って複数配置されており、光源１０から出射された光（第１光）は第１側面２１から導光板２０内に入射する。光源１１は、導光板２０の第２側面２２側に沿って複数配置されており、光源１１から出射された光（第２光）は第２側面２２から導光板２０内に入射する。
【００３８】
導光板２０の第１側面２１および第２側面２２は約９０度の角度を成して互いに隣り合った側面である。そして、光源１０は第１側面２１に対して光軸が直交する向きで配置されており、光源１１は第２側面２２に対して光軸が直交する向きで配置されている。このため、光源１０から出射される光と光源１１から出射される光とは、導光板２０に対して略直行する方向からそれぞれ入射する。
【００３９】
光源１０および光源１１の種類は特に限定されるものではないが、例えばＬＥＤ（Light Emitting Diode：発光ダイオード）などの指向性を有するものを好適に用いることができる。
【００４０】
なお、光源１０および光源１１が出射する光の色の組み合わせは特に限定されず、後述する発光領域Ａおよび発光領域Ｂの配色などに応じて適宜選択される。
【００４１】
また、配置される光源１０および光源１１の数についても特に限定されない。例えば、第１側面２１に対して１つの光源１０が配置され、第２側面２２に対して１つの光源１１が配置されてもよい。また、導光板２０のその他の側面に光源が配置されていてもよい。
【００４２】
さらに、発光装置１は、各光源１０および各光源１１の光束を制御する光束制御部（図示省略）を備えていてもよい。このような光束制御部を備えることにより、各光源１０および各光源１１から出射される光の光束を変化させることにより、発光装置１によってさらに効果的な視覚的演出を行うことができる。
【００４３】
（導光板２０）
導光板２０は、光源１０および光源１１から入射した光を導光して、表面２３から出射する導光部材である。導光板２０は、光を全反射する材料（例えば、ポリカーボネート、アクリル樹脂など）が板状に成形された透明性を有するものである。
【００４４】
導光板２０の第１側面２１から入射した光源１０からの光は、導光板２０の表面２３および裏面２４で全反射しながら導光板２０内を伝播して、導光板２０の表面２３に設定された発光領域（第１発光領域）Ａから出射する。また、導光板２０の第２側面２２から入射した光源１１からの光は、導光板２０の表面２３および裏面２４で全反射しながら導光板２０内を伝播して、導光板２０の表面２３に設定された発光領域（第２発光領域）Ｂから出射する。
【００４５】
本実施形態では、導光板２０の表面２３に、環状の発光領域Ａおよび三角形の発光領域Ｂが設定されている。光源１０を点灯させた場合、導光板２０の表面２３に発光領域Ａが表示される。また、光源１１を点灯させた場合、導光板２０の表面２３に発光領域Ｂが表示される。したがって、光源１０および光源１１の点灯を制御することによって、導光板２０の表面２３に発光領域Ａおよび発光領域Ｂを切り替えて表示することができる。
【００４６】
このように、発光領域Ａと発光領域Ｂとの一部が重なるように導光板２０の表面２３に設定することで、導光板２０の表面における同一の領域において発光領域Ａおよび発光領域Ｂを切り替えて表示することが可能となる。
【００４７】
図２は、導光板２０に形成された反射パターン（反射構造体）３０を示す断面図である。図２に示すように、導光板２０の裏面２４には、環状の発光領域Ａに対応する領域である反射領域に、光源１０から入射した光を発光領域Ａへ向けて正反射させるための反射パターン３０が複数形成されている（図２では１つの反射パターン３０のみを図示している。）。同様に、導光板２０の裏面２４には、三角形の発光領域Ｂに対応する領域である反射領域に、光源１１から入射した光を発光領域Ｂへ向けて正反射させるための反射パターン３０が複数形成されている。
【００４８】
本実施形態では、反射パターン３０として、導光板２０の裏面２４を切り欠いた凹部を複数形成している。上述の通り、この導光板２０は透明な材料からなるいわゆるシースルー型の導光パネルである。そのため、光源１０および光源１１が非点灯状態の場合、導光板２０の表面２３を観察する観察者に反射パターン３０が認識され難くなっている。
【００４９】
ただし、反射パターン３０は、導光板２０の裏面２４を切り欠くことによって形成された凹部状のパターンに限られず、導光板２０の裏面２４から外側に突出するように形成されていてもよい。また、反射パターン３０は、導光板２０と一体的に設けられる構成に限られず、例えば導光板２０の裏面２４に取り付けられるものであってもよい。この場合、反射パターン３０は、光を全反射させる材料から成るものであってもよい。これにより、反射パターン３０による光の反射効率を向上させることができる。
【００５０】
＜反射パターン３０の詳細＞
次に、導光板２０に形成された反射パターン３０の詳細について説明する。
【００５１】
図３の（ａ）は導光板２０に形成された反射パターン３０を示す斜視図であり、図３の（ｂ）はその平面図であり、図３の（ｃ）はその正面図であり、図３の（ｄ）はその側面図である。
【００５２】
図３の（ａ）〜（ｄ）に示すように、本実施形態では、反射パターン３０は傾斜した２つの反射面３１を有しており、一方の反射面３１によって導光板２０に入射した光を導光板２０の表面２３に向けて反射する。この反射パターン３０は、導光板２０の表面２３に対して垂直な方向から見た場合の形状が紡錘形であり、尖形の突端部ｅを有している。また、反射パターン３０は、導光板２０の裏面２４に対して垂直であり、且つ、反射する光の進行方向に平行な断面形状が略二等辺三角形（逆Ｖ字）を成し、反射パターン３０の中心部から突端部ｅに近づくにつれて高さ（導光板２０の厚み方向の長さ）および奥行（反射する光の進行方向と平行な方向の長さ）が徐々に減少し、突端部ｅにおいて高さおよび奥行きが０になる形状である。このような流線型の反射パターン３０は型崩れし難いため、反射パターン３０による安定した光の反射作用を得ることができる。
【００５３】
このような形状の反射パターン３０は、反射する光の進行方向と直交する方向（以下、長軸方向と称する。）に突端部ｅが位置するように配置される。
【００５４】
具体的には、発光領域Ａに対応する反射領域には、光源１０から入射した光の進行方向（光源１０の光軸方向）に対して反射パターン３０の長軸方向が直交する向きで、各反射パターン３０が配置される。また、発光領域Ｂに対応する反射領域には、光源１１から入射した光の進行方向（光源１１の光軸方向）に対して反射パターン３０の長軸方向が直交する向きで、各反射パターン３０が配置される。
【００５５】
図４の（ａ）は反射パターン３０の形状を説明するための斜視図であり、図４の（ｂ）はその平面図であり、図４（ｃ）はその側面図である。ここで、上述の通り、従来の三角プリズム型の反射パターンでは、射出成形時に側面のダレが生じるため、反射パターンの端部側から照射される光によって反射パターンが発光するという課題があった。
【００５６】
そこで、本願発明者らは、図４の（ａ）に示すように反射パターン３０の端部を尖形の突端部ｅとすると共に、図４の（ｂ）に示すように導光板２０の表面２３と垂直な方向から見た場合、反射する光の進行方向Ｄ１と、突端部ｅに接続される反射面３１の縁端部の法線方向Ｄ２との成す角度βを最適化にすることにより、突端部ｅ側から照射された光による反射パターンの発光を抑制することができることを見出した。
【００５７】
また、角度βを最適化した場合において、図４の（ｃ）に示す導光板２０の裏面２４に対する反射面３１の角度α、すなわち、反射面３１の傾斜角度の許容可能な範囲を特定した
図５は、導光板２０の材料（屈折率）に応じた角度αおよび角度βの範囲を示す表である。図５に示すように、角度βの範囲は導光板２０の材料（屈折率）によって異なる。
【００５８】
例えば、導光板２０の材料が高屈折率樹脂（屈折率１．６５）である場合、角度βを５３度以下にすることで、突端部ｅ側から照射された光による反射パターン３０の発光を抑制することが可能となる。この場合、１９度以上７１度以下の範囲で角度αを任意に変化させることができる。
【００５９】
また、導光板２０の材料がポリカーボネート（ＰＣ：屈折率１．５８５）である場合、角度βを５１度以下にすることで、突端部ｅ側から照射された光による反射パターン３０の発光を抑制することが可能となる。この場合、１９度以上７１度以下の範囲で角度αを任意に変化させることができる。
【００６０】
また、導光板２０の材料がアクリル（屈折率１．４９）である場合、角度βを４８度以下にすることで、突端部ｅ側から照射された光による反射パターン３０の発光を抑制することが可能となる。この場合、２０度以上８０度以下の範囲で角度αを任意に変化させることができる。
【００６１】
図６は、各屈折率の導光板２０に対して反射パターン３０の突端部ｅ側から光を照射した場合において、角度βを変化させたときの導光板２０の表面２３からの光の漏出の有無をシミュレーションした結果を示す表である。図６では、導光板２０の表面２３からの光の漏出が確認されなかった場合を「○」で示し、導光板２０の表面２３からの光の漏出が確認された場合を「×」で示している。
【００６２】
図６に示すように、導光板２０の屈折率が１．６５である場合、角度βが５３度以下のとき導光板２０の表面２３からの光の漏出が確認されなかったが、角度βが５４度以上のとき導光板２０の表面２３からの光の漏出が確認された。
【００６３】
また、導光板２０の屈折率が１．５８５である場合、角度βが５１度以下のとき導光板２０の表面２３からの光の漏出が確認されなかったが、角度βが５２度以上のとき導光板２０の表面２３からの光の漏出が確認された。
【００６４】
また、導光板２０の屈折率は１．４９である場合、角度βが４８度以下のとき導光板２０の表面２３からの光の漏出が確認されなかったが、角度βが４９度以上のとき導光板２０の表面２３からの光の漏出が確認された。
【００６５】
図７は、屈折率１．６５の導光板２０に対して反射パターン３０の突端部ｅ側から光を入射したときの光の光路を示すシミュレーション図であり、図７の（ａ）は角度βが５３度の場合の光路を示し、図７の（ｂ）は角度βが５４度の場合の光路を示す。
【００６６】
図７の（ａ）に示すように、角度βが５３度の場合、反射パターン３０の突端部ｅ側から導光板２０に入射した光は突端部ｅで反射するが、反射した光は臨界角を超えず導光板２０の表面２３で全反射される。そのため、導光板２０の表面２３からの光の漏出が確認されない。
【００６７】
一方、図７の（ｂ）に示すように、角度βが５４度の場合、反射パターン３０の突端部ｅ側から導光板２０に入射した光は突端部ｅで反射し、反射した光の一部は導光板２０の表面２３から漏出する。そのため、導光板２０の表面２３からの光の漏出が確認される。
【００６８】
図８は、導光板２０の屈折率と角度βとの関係を示すグラフである。図８では、横軸が導光板２０の屈折率の値を示し、縦軸が突端部ｅ側から導光板２０に入射した光が導光板２０の表面２３から漏出することを抑制できる角度βの上限値を示している。
【００６９】
図８に示すように、導光板３０の屈折率が小さくなるにつれて、導光板２０の表面２３から漏出することを抑制できる角度βの上限値も小さくなる。導光板２０の屈折率と角度βとの関係は、以下の計算式で表される。
ｙ＝−３８．３２７ｘ２＋１５２．３ｘ−９４．０１４
この計算式において、ｙは突端部ｅ側から導光板２０に入射した光が導光板２０の表面２３から漏出することを抑制できる角度βの上限値を示し、ｘは導光板２０の屈折率の値を示している。
【００７０】
したがって、角度βを上記計算式で求められる値以下にすることにより、突端部ｅ側から照射される光による反射パターン３０の発光を抑制できる反射パターン３０を実現することができる。このような反射パターン３０は、例えば射出成形によって好適に導光板２０に形成することができる。
【００７１】
図９は、導光板２０に反射パターン３０を形成するための金型を示す斜視図である。図９に示すように、金型４０は、基板４１上に反射パターン３０に対応する形状の凸状部４２が複数配置されている（図９では１つの凸状部４２のみを図示している。）。この凸状部４２は、反射パターン３０の反射面３１に対応する傾斜面４３を有している。
【００７２】
このような金型４０を用いれば、従来の三角プリズム型の反射パターンの射出成形時に起こるダレが生じ難いため、射出成形によって反射パターン３０を容易に形成することができる。
【００７３】
＜発光装置１の効果＞
このように、本実施形態に係る発光装置１は導光板２０を備え、導光板２０の表面２３に対して垂直な方向から見た場合、発光領域Ａに対応する反射領域に光源１０から入射した光の進行方向と略直交する方向に尖形の突端部ｅが位置するように反射パターン３０が複数配置され、発光領域Ｂに対応する反射領域に光源１１から入射した光の進行方向と略直交する方向に突端部ｅが位置するように反射パターン３０が複数配置される。
【００７４】
このため、光源１０を点灯させた場合、発光領域Ａに対応付けられた反射パターン３０によって光源１０から入射した光が発光領域Ａへ向けて反射されるので、導光板２０の表面２３に環状の発光領域Ａが表示される。このとき、発光領域Ｂに対応付けられた反射パターン３０には突端部ｅ側から光源１０からの光が照射されるが、角度βをｙ＝−３８．３２７ｘ２＋１５２．３ｘ−９４．０１４以下にすることで光源１０からの光による反射パターン３０の発光が抑制され、発光領域Ｂの発光は観察されない。
【００７５】
一方、光源１１を点灯させた場合、発光領域Ｂに対応付けられた反射パターン３０によって光源１１から入射した光が発光領域Ａへ向けて反射されるため、導光板２０の表面２３に環状の発光領域Ａが表示される。このとき、発光領域Ａに対応付けられた反射パターン３０には突端部ｅ側から光源１１からの光が照射されるが、角度βをｙ＝−３８．３２７ｘ２＋１５２．３ｘ−９４．０１４以下にすることで、光源１１からの光による反射パターン３０の発光が抑制され、発光領域Ａの発光は観察されない。
【００７６】
したがって、本実施形態によれば、導光板２０の表面２３に表示される発光領域Ａおよび発光領域Ｂの切り替え演出を好適に行うことができる発光装置１を実現することができる。
【００７７】
＜変形例＞
（変形例１）
図１０の（ａ）〜（ｄ）は、反射パターン３０の変形例を示す斜視図である。図１０の（ａ）に示す反射パターン３０ａおよび図１０の（ｂ）に示す反射パターン３０ｂのように、２つの反射面３１のうち一方の反射面３１の傾斜角度（角度α）を異ならせてもよい。また、図１０の（ｃ）に示す反射パターン３０ｃおよび図１０の（ｄ）に示す反射パターン３０ｄのように、光源が配置される方向に１つの反射面３１を有し、該反射面と反対側の面を導光板２０の裏面２４に対して垂直に切り立った壁面３２としてもよい。
【００７８】
（変形例２）
図１１の（ａ）〜（ｄ）は、反射パターン３０の別の変形例を示す斜視図である。図１１の（ａ）に示す反射パターン３０ｅのように、反射面３１は、平面３１ａと曲面３１ｂとが組み合わされた構成であってもよい。また、図１１の（ｂ）に示す反射パターン３０ｆのように、反射面３１は、３つの平面３１ａが組み合わされた構成であってもよい。また、図１１の（ｃ）に示す反射パターン３０ｇのように、反射パターン３０の頂点部分を導光板２０の裏面２４に対して平行な面で切断した平坦な天面３３を有していてもよい。天面３３を形成することにより、反射パターン３０ｇの高さ（導光板２０の厚み方向の長さ）を小さくすることができるため、導光板２０の薄型化を図ることができる。また、図１１の（ｄ）に示す反射パターン３０ｈのように、反射する光の進行方向に対して平行であり、且つ、導光板２０の裏面２４に対して垂直な面で反射パターン３０を切断した形状としてもよい。
【００７９】
（変形例３）
図１２は、反射パターン３０のさらに別の変形例を示す図面であり、図１２の（ａ）は反射パターン３０ｉを示す斜視図であり、図１２の（ｂ）はその平面図であり、図１２の（ｃ）はその正面図であり、図１２の（ｄ）はその側面図である。
【００８０】
図１２の（ａ）〜（ｄ）に示す反射パターン３０ｉのように、反射する光の進行方向と垂直な方向か見た場合の形状が略二等辺三角形（逆Ｖ字）を成し、導光板２０の表面２３に対して垂直な方向から見た場合の形状が六角形を成す形状であってもよい。
【００８１】
このように、上述した条件を満たすものであれば特に限定されず、用途等に応じて適宜変更可能である。
【００８２】
〔実施形態２〕
本発明の他の実施形態について、図１３に基づいて説明すれば以下の通りである。なお、説明の便宜上、実施形態１と同じ機能を有する部材には同じ符号を付し、その説明を省略する。
【００８３】
本実施形態に係る発光装置は、導光板の１つの側面に沿って配置された光源によって、複数の発光領域を発光させる点において、実施形態１の発光装置と主に異なる。
【００８４】
＜発光装置２の構成＞
図１３は、本実施形態に係る導光板（導光体）２０ａを備えた発光装置２を示す平面図である。図１３に示すように、発光装置２は、光源１２ａ〜ｃ、および導光板２０ａを備えている。
【００８５】
（光源１２ａ〜１２ｃ）
光源１２ａ〜ｃは、導光板２０ａの側面へ向けて光を出射する発光素子である。光源１２ａ〜ｃは、導光板２０ａの第２側面２２側に配置されている。光源１２ａ〜ｃから出射された光は第１側面２１から導光板２０内に入射し、導光板２０ａの表面２３および裏面２４で全反射しながら導光板２０ａ内を伝播して、導光板２０の表面２３に設定された発光領域Ａ〜Ｅから出射する。
【００８６】
（導光板２０ａ）
導光板２０ａは、光源１２ａ〜１２ｃから入射した光を導光して、表面（光出射面）２３から出射する導光部材である。具体的には、導光板２０ａは、光源１２ａ〜１２ｃから入射した光を表面２３に設定された発光領域Ａ〜Ｅから出射する。
【００８７】
この導光板２０ａの裏面２４には、発光領域Ａ〜Ｅに対応する各反射領域に、光源１２ａ〜１２ｃから入射して導光板２０ａ内を伝播した光を発光領域Ａ〜Ｅへ向けて正反射させるための反射パターン３０が複数配置されている。すなわち、発光領域Ａ〜Ｅに対応する各反射領域には、反射する光の進行方向に直交する方向に尖形の突端部ｅが配置される向きで反射パターン３０が複数配置されている。
【００８８】
具体的には、発光領域Ａに対応する反射領域には、光源１２ａから入射した光Ｌａの進行方向に直交する方向に突端部ｅが配置される向きで反射パターン３０が複数配置されている。また、発光領域Ｂに対応する反射領域には、光源１２ｃから入射した光Ｌｂの進行方向に直交する方向に突端部ｅが配置される向きで反射パターン３０が複数配置されている。また、発光領域Ｃに対応する反射領域には、光源１２ｂから入射した光Ｌｃの進行方向に直交する方向に突端部ｅが配置される向きで反射パターン３０が複数配置されている。また、発光領域Ｄに対応する反射領域には、光源１２ｃから入射した光Ｌｄの進行方向に直交する方向に突端部ｅが配置される向きで反射パターン３０が複数配置されている。また、発光領域Ｅに対応する反射領域には、光源１２ａから入射した光Ｌｅの進行方向に直交する方向に突端部ｅが配置される向きで反射パターン３０が複数配置されている。
【００８９】
＜発光装置２の効果＞
このように、本実施形態に係る発光装置２は、導光板２０ａの表面に設定された発光領域Ａ〜Ｅに対応する各反射領域に、反射する光の進行方向に直交する方向に突端部ｅが配置される向きで反射パターン３０が複数配置されている。
【００９０】
そのため、例えば光源１０を点灯させた場合、発光領域Ａに対応する反射領域に配置された反射パターン３０によって光源１０から入射した光が発光領域Ａへ向けて反射され、これにより導光板２０の表面２３に環状の発光領域Ａが表示される。このとき、発光領域Ｂに対応する反射領域に配置された反射パターン３０に対して斜め方向（すなわち反射パターン３０の庁軸方向に対して斜め方向）から光Ｌｅが照射されるが、このような光Ｌｅによる反射パターン３０の発光が抑制されるため、発光領域Ｂの発光は観察されない。
【００９１】
このように、反射パターン３０によれば、反射パターン３０の長軸方向に斜め方向から照射される光による反射パターン３０の発光も抑制することが可能である。
【００９２】
したがって、本実施形態によれば、導光板２０ａの表面２３に表示される発光領域Ａ〜Ｅの光分け演出を好適に行うことができる発光装置２を実現することができる。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９４】
本発明は、光源から入射する光を導光して光出射面から出射させる導光体、および導光体を備えた発光装置に適用でき、この発光装置は、例えばパチンコおよびスロットマシンなどの遊技機に好適に搭載することがきる。
【符号の説明】
【００９５】
１  発光装置
２  発光装置
１０  光源（発光ダイオード）
１１  光源（発光ダイオード）
１２ａ〜１２ｃ  光源（発光ダイオード）
２０  導光板（導光体）
２０ａ  導光板（導光体）
２３  表面（光出射面）
３０  反射パターン（反射構造体）
３０ａ〜３０ｉ  反射パターン（反射構造体）
３１  反射面
３１ａ  平面（反射面）
３１ｂ  曲面（反射面）
α    角度
β    角度
Ａ  発光領域（第１発光領域）
Ｂ  発光領域（第２発光領域）
Ｃ〜Ｅ  発光領域
ｅ  突端部
Ｄ１  進行方向
Ｄ２  法線方向
Ｌａ〜Ｌｅ  光
【図１】
2015156317.tif 000003
【図２】
2015156317.tif 000004
【図３】
2015156317.tif 000005
【図４】
2015156317.tif 000006
【図５】
2015156317.tif 000007
【図６】
2015156317.tif 000008
【図７】
2015156317.tif 000009
【図８】
2015156317.tif 000010
【図９】
2015156317.tif 000011
【図１０】
2015156317.tif 000012
【図１１】
2015156317.tif 000013
【図１２】
2015156317.tif 000014
【図１３】
2015156317.tif 000015
【図１４】
2015156317.tif 000016
【図１５】
2015156317.tif 000017
【図１６】
2015156317.tif 000018